【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
移動式の弾薬コンテナを製造するための強化マットの使用であって、該強化マットが、ロープから形成された複数の互いに間隔をあけて配置されたファブリック層（１０ａ、１０ｂ、１０ｃ）を含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより異なるサイズのコンクリート骨材粒が強化マットの厚さにわたって所定の層に実質的にそれらのサイズ順で固定されるようにした、強化マットの使用。
【請求項２】
スペーサの機能を有する異なるサイズの押し広げ体がコンクリートの浸透の前に個々のファブリック層の間に配置される、請求項１に記載の強化マットの使用。
【請求項３】
ロープから形成された互いに間隔をあけて配置されたファブリック層を含む強化マットであって、該ファブリック層が、強化マットの厚さを横切って個々のファブリック層のメッシュ及び／又はホール幅が変化するよう形成及び配置され、セメントモルタル又はコンクリートを浸透させる際にスクリーニング効果を得るために、ファブリック層のメッシュ及び／又はホール幅がコンテナの外側から内側へ大きくなっており、それにより異なるサイズのコンクリート骨材物が強化マットの厚さにわたって所定の層に実質的にそれらのサイズ順で固定されるようにした強化マットが内側及び外側の型枠体（５）の間に配置され、セメントモルタル又はコンクリートの浸透が内側から達成されることを特徴とする、移動式の弾薬コンテナを製造する方法。
【請求項４】
前記セメントモルタル又はコンクリートの浸透が、下部から生じるセメントモルタル又はコンクリート流によって少なくとも部分的に達成されることを特徴とする、請求項３に記載の方法。
【請求項５】
０．５〜３．５ｍｍの範囲の線サイズと５〜６０ｍｍの範囲のメッシュ幅を有する溶着された格子層の形態の複数のファブリック層を含む強化材を含有することを特徴とする、コンクリートから作られた移動式の弾薬コンテナ。
【請求項６】
前記弾薬コンテナが、セメントモルタル及び／又はコンクリート並びに異なるサイズのコンクリート骨材粒の浸透によって部材を形成するためにロープから形成された複数の互いに間隔をあけて配置されたファブリック層（１０ａ、１０ｂ、１０ｃ）を含む強化マットを含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより骨材粒が部材厚さにわたって所定の層に実質的にそれらのサイズ順で固定されるようにしたことを特徴とする、請求項５に記載の弾薬コンテナ。
【請求項７】
前記スクリーニング効果が、メッシュ幅を変更すること及び／又は層において上下及び／又は並列に配置され、それぞれが同じメッシュ幅であるファブリック層をずらすことにより実現されることを特徴とする、請求項６に記載の弾薬コンテナ。
【請求項８】
単層構造を有することを特徴とする、請求項５又は６に記載の弾薬コンテナ。
【請求項９】
一方の層がコンテナ壁の内側に設けられた吸収層によって形成された多層構造を有することを特徴とする、請求項５又は６に記載の弾薬コンテナ。
【請求項１０】
一方の内側にもう一方を配置しかつ互いに間隔をあけて配置された少なくとも２つの円筒形コンテナ壁（１、１’）を含む多殻構造を有することを特徴とする、請求項５に記載の弾薬コンテナ。
【請求項１１】
前記弾薬コンテナが、該コンテナ内壁の溝形のくぼみに係合する外側に突き出した円周方向の締結端を備えたドア（２）を有し、コンテナの内側に円周方向に延びるガイドレール（３）が設けられ、該ガイドレール（３）に沿ってドア（２）をスライドさせるようにして移動させることができることを特徴とする、請求項５又は６に記載の弾薬コンテナ。
【請求項１２】
コンクリート板の形態の蓋（９’）を有し、それが０．５〜３．５ｍｍの範囲の線サイズと５〜６０ｍｍの範囲のメッシュ幅を有する溶着された格子層の形態の複数のファブリック層を含む強化材を有し、該蓋が円筒形のコンテナ壁（１）に固定されることを特徴とする、請求項５又は６に記載の弾薬コンテナ。
【請求項１３】
円錐台の形状の蓋を有することを特徴とする、請求項５又は６に記載の弾薬コンテナ。
【請求項１４】
前記蓋が、残りの蓋の領域よりも低い強度の領域の形態において所定の破壊点を有することを特徴とする、請求項１２又は１３に記載の弾薬コンテナ。
【請求項１５】
ドア開口の領域に内側に突き出した円周方向の取付用ストリップを有し、ドアがその外側に円筒形壁の取付用ストリップの後ろで係合する円周方向の取付用ストリップを備えていることを特徴とする、請求項１１に記載の弾薬コンテナ。
【請求項１６】
ファブリックインサートのメッシュ幅が前記コンテナの外側から内側へ大きくなっていることを特徴とする、請求項６又は７に記載の弾薬コンテナ。
【請求項１７】
移動式のバンカー又はシェルターを製造するための強化マットの使用であって、該強化マットが、ロープから形成された複数の互いに間隔をあけて配置されたファブリック層（１０ａ、１０ｂ、１０ｃ）を含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより異なるサイズのコンクリート骨材粒が強化マットの厚さにわたって所定の層に実質的にそれらのサイズ順で固定されるようにした、強化マットの使用。
【請求項１８】
スペーサの機能を有する異なるサイズの押し広げ体がコンクリートの浸透の前に個々のファブリック層の間に配置される、請求項１７に記載の強化マットの使用。
【請求項１９】
ロープから形成された互いに間隔をあけて配置されたファブリック層を含む強化マットであって、該ファブリック層が、セメントモルタル又はコンクリートを浸透させる際にスクリーニング効果を得るために、強化マットの厚さを横切ってファブリック層のメッシュ及び／又はホール幅がバンカーの内側から外側へ大きくなるよう形成及び配置され、それにより異なるサイズのコンクリート骨材物が強化マットの厚さにわたって所定の層に実質的にそれらのサイズ順で固定されるようにした強化マットが内側及び外側の型枠体の間に配置され、セメントモルタル又はコンクリートの浸透が外側から達成されることを特徴とする、移動式のバンカー（シェルター）を製造する方法。
【請求項２０】
０．５〜３．５ｍｍの範囲の線サイズと５〜６０ｍｍの範囲のメッシュ幅を有する溶着された格子層の形態の複数のファブリック層を含む強化材を含有することを特徴とする、コンクリートから作られた移動式のバンカー（シェルター）。
【請求項２１】
前記バンカーが、セメントモルタル及び／又はコンクリート並びに異なるサイズのコンクリート骨材粒の浸透によって部材を形成するためにロープから形成された複数の互いに間隔をあけて配置されたファブリック層（１０ａ、１０ｂ、１０ｃ）を含む強化マットを含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより骨材粒が部材厚さにわたって所定の層に実質的にそれらのサイズ順で固定されるようにしたことを特徴とする、請求項２０に記載のバンカー。
【請求項２２】
前記スクリーニング効果が、メッシュ幅を変更すること及び／又は層において上下及び／又は並列に配置され、それぞれが同じメッシュ幅であるファブリック層をずらすことにより実現されることを特徴とする、請求項２１に記載のバンカー。
【請求項２３】
単層構造を有することを特徴とする、請求項２０又は２１に記載のバンカー。
【請求項２４】
一方の層がバンカー壁の外側に設けられた吸収層によって形成された多層構造を有することを特徴とする、請求項２０又は２１に記載のバンカー。
【請求項２５】
一方の内側にもう一方を配置しかつ互いに間隔をあけて配置された少なくとも２つの円筒形コンテナ壁（１、１’）を含む多殻構造を有することを特徴とする、請求項２０に記載のバンカー。
【請求項２６】
成形されたコンクリート部品の形態の蓋（９’）を有し、それが０．５〜３．５ｍｍの範囲の線サイズと５〜６０ｍｍの範囲のメッシュ幅を有する溶着された格子層の形態の複数のファブリックインサートを含む強化材を有し、該蓋が円筒形のバンカー壁（１）に固定されることを特徴とする、請求項２０又は２１に記載のバンカー。
【請求項２７】
アーチ形の蓋を有することを特徴とする、請求項２０又は２１に記載のバンカー。
【請求項２８】
前記ファブリックインサートのメッシュ幅が前記バンカーの内側から外側へ大きくなっていることを特徴とする、請求項２１又は２２に記載のバンカー。
【請求項２９】
前記セメントモルタル又はコンクリートの浸透が、下部から生じるセメントモルタル又はコンクリート流によって少なくとも部分的に達成されることを特徴とする、請求項１９に記載の方法。